(57)【特許請求の範囲】
【請求項１】
筒状のネット部材と、
前記ネット部材の端部に包まれた状態で前記端部が束ねられた結束部材と、
前記結束部材の先端部に前記結束部材の一部として設けられ前記ネット部材に包まれた容器部と、
前記結束部材と係合した状態で前記端部を収容するキャップ部材と、
を有する泡立て具。
【請求項２】
前記容器部はお碗形状をしている、請求項１に記載の泡立て具。
【請求項３】
前記結束部材の外周面には突起が突設されている請求項２に記載の泡立て具。
【請求項４】
前記キャップ部材と係合し該キャップ部材から突出した前記結束部材の後端部に紐が繋がる穴部が形成された請求項１〜請求項３の何れか１項に記載の泡立て具。
【請求項５】
前記キャップ部材は円筒形状で中央部にクビレ部が形成されている請求項１〜請求項４の何れか１項に記載の泡立て具。
【発明の詳細な説明】
【技術分野】
【０００１】
本発明は泡立て具に関する。
【背景技術】
【０００２】
下記特許文献１には、筒状のネット素材を折り返して多重のネット袋を構成し、石鹸や洗顔料を泡立てる洗顔用泡立て具が示されている。
【先行技術文献】
【特許文献】
【０００３】
【特許文献１】特開２０００−２４５６４９号公報
【発明の概要】
【発明が解決しようとする課題】
【０００４】
しかし、上記特許文献１の洗顔用泡立て具によると、洗顔料を泡立てる際に、洗顔料を目分量でネット袋に出すことになり、適量でない場合がある。
【０００５】
本発明は、上記事実を考慮して、適量の洗顔料を泡立てできる泡立て具を提供することを目的とする。
【課題を解決するための手段】
【０００６】
本発明の第１態様の泡立て具は、筒状のネット部材と、前記ネット部材の端部に包まれた状態で前記端部が束ねられた結束部材と、前記結束部材の先端部に設けられ前記ネット部材に包まれた容器部と、前記結束部材と係合した状態で前記端部を収容するキャップ部材と、を有する。
【０００７】
第１態様の泡立て具によると、筒状のネット部材をめくり、容器部を露出させて、例えば、洗顔パウダーを容器部に入れて計量する。このため、洗顔パウダーを目分量でネット部材に振り掛ける方法と比較して、洗顔パウダーの使用量が毎回一定となり無駄を防げる。
【０００８】
容器部をネット部材で取り囲み、キャップ部材を掴んで、ネット部材を濡らして両手で揉んで洗顔パウダーをあわ立てる。キャップ部材がネット部材の端部を収容しているため、泡立て具の見掛けが良く、ネット部材の端部のほつれも抑制できる。
【０００９】
本発明の第２態様の泡立て具は、第１態様の泡立て具において、前記容器部はお碗形状をしており、前記結束部材の外周面には突起が突設されている。
【００１０】
第２態様の泡立て具によると、容器部はお碗形状で丸みを帯びているため、ネット部材を傷付けずに泡立てることができる。また、結束部材の外周面から突設した突起にネット部材が掛かるので、ネット部材が結束部材から外れ難い。
【００１１】
本発明の第３態様の泡立て具は、第１態様又は第２態様の泡立て具において、前記キャップ部材と係合し該キャップ部材から突出した前記結束部材の後端部に紐が繋がる穴部が形成されている。
【００１２】
第３態様の泡立て具によると、結束部材の後端部の穴部に紐を繋ぐことで、泡立て具を吊るして乾燥させることができる。
【００１３】
本発明の第４態様の泡立て具は、第１態様〜第３態様の泡立て具において、前記キャップ部材は円筒形状で中央部にクビレ部が形成されている。
【００１４】
第４態様の泡立て具によると、泡を立てるときに、指の間にクビレ部を挟むことで、キャップ部材が滑り難くなる。
【発明の効果】
【００１５】
本発明の泡立て具によると、適量の洗顔料を泡立てることができる。
【図面の簡単な説明】
【００１６】
【図１】（Ａ）は本発明の実施形態における泡立て具を一部破断して示した正面図であり、（Ｂ）は（Ａ）において破線の囲み線で示した部分の拡大図である。
【図２】本発明の実施形態における泡立て具のネット部材を示した斜視図であり、（Ａ）は折り返し前の状態、（Ｂ）は折り返し途中の状態、（Ｃ）は折り返した後の状態を示す。
【図３】本発明の実施形態における泡立て具の分解半断面図である。
【発明を実施するための形態】
【００１７】
（泡立て具）
以下、図面を参照しながら、本発明の実施形態に係る泡立て具１０について説明する。図１（Ａ）に示すように、泡立て具１０は、筒状のネット部材４０と、ネット部材４０の端部４８に包まれた状態でネット部材４０の端部４８が束ねられた結束部材２０と、結束部材２０の先端部に設けられネット部材４０に包まれた容器部２４と、結束部材２０と係合した状態で端部４８を収容するキャップ部材６０と、を備えている。
【００１８】
（ネット部材）
ネット部材４０は、図２（Ａ）に示すＰＥ（ポリエチレン）製のメッシュ素材で形成された円筒状のネット４１を使用して形成する。具体的には、ネット４１の一方の端部４０Ａを、図２（Ｂ）に示すように、他方の端部４０Ｂ側に向かって折り返して形成される。これにより、図２（Ｃ）に示すように、二重筒のネット部材４０が形成される。端部４０Ａ、４０Ｂがまとめられて形成された端部４８は、ひだ状に折り曲げて、図１（Ａ）に示すように、後述する結束部材２０の軸部２２に束ねて巻き付けられ、結束バンド５０を用いて固定される。
【００１９】
なお、ネット部材４０の材質はＰＥに限定されるものではなく、ナイロン、ＰＥＴ（ポリエチレンテレフタレート）、ビニロン、ＰＰ（ポリプロピレン）、ＰＥ（ポリエチレン）等各種の合成繊維、または綿や麻などの天然繊維を用いてもよい。また、メッシュの線径及び目開きなどは任意に選択することができる。例えば線径及び目開きを小さくすれば気泡を細かくすることができるので、洗顔料を用いる場合に適している。
【００２０】
（結束部材）
結束部材２０は、ＡＢＳ樹脂を射出（インジェクション）成型して作成された部材であり、図３に示されるように、円柱状の軸部２２と、軸部２２の先端部に形成された容器部２４と、軸部の後端部に形成された係合部２６と、を備えている。
【００２１】
なお、結束部材２０の材質はＡＢＳ樹脂に限定されるものではなく、ＰＶＣ（ポリ塩化ビニル）、ＰＥ、ＰＰ、ＰＥＴ等の各種の樹脂を用いることができる。あるいは、ステンレスやアルミなどの各種金属などを用いてもよい。金属を用いれば、耐久性を高くすることができる。
【００２２】
（軸部）
結束部材２０の軸部２２は、ネット部材４０の端部４８を束ねて固定するための部分であり、軸部２２の先端側（容器部２４の手前）の外周面には、ネット部材４０のずれ抑制のためのずれ止め突起２２Ａが形成されている。また、軸部２２の後端側（係合部２６の手前）は、軸方向に沿って径方向に徐々に拡径した拡径部２２Ｂとされ、ずれ止め突起２２Ａと同様にネット部材４０のずれを抑制している。
【００２３】
なお、本実施形態における軸方向とは、図３にＣＬで示される軸部２２に沿った方向であり、後述するキャップ部材６０の軸方向と一致する。また、径方向とは、軸方向と直交する方向である。
【００２４】
（容器部）
結束部材２０の容器部２４は、軸方向に沿って徐々に拡径するお椀形状（断面視で円弧状）とされ、容器部２４の内周面である窪み部２４Ｃに、液体や粉末などを保持することができる。なお、窪み部２４Ｃは、表面が平滑に形成されている。
【００２５】
（係合部）
結束部材２０の係合部２６は、先述した軸部２２における拡径部２２Ｂが径方向に縮径して形成された段差部２６Ａと、円柱状の溝部２６Ｂと、溝部２６Ｂが径方向に拡径して形成された段差部２６Ｃと、段差部２６Ｃの径方向外側端部から軸方向外側（容器部２４と反対側）に形成された穴部２６Ｄと、を備えている。溝部２６Ｂの溝壁としての段差部２６Ａ、２６Ｃには後述するキャップ部材６０が係合可能とされ、穴部２６Ｄには、泡立て具１０を浴室のフックなどに引掛けておくための紐を通すことができる。
【００２６】
（キャップ部材）
キャップ部材６０は、結束部材２０と同様に、ＡＢＳ樹脂を射出（インジェクション）成型して作成された円筒形状の部材であり、図３に示すように、外周面が径方向に向かって凹状に形成されたクビレ部６２と、軸方向の一方の端部に形成された開口部６４と、軸方向の他方の端部に形成された底部６６と、を備えている。
【００２７】
なお、キャップ部材６０の材質はＡＢＳ樹脂に限定されるものではなく、ＰＶＣ、ＰＥ、ＰＰ、ＰＥＴ等の各種の樹脂を用いることができる。
【００２８】
底部６６の径方向の中心には、軸方向に沿って貫通孔６６Ａが形成されており、貫通孔６６Ａは底部６６側から開口部６４側に向かって徐々に拡径するテーパー形状を有している。
【００２９】
キャップ部材６０を結束部材２０に固定するためには、ネット部材４０の端部４８が結束部材２０の軸部２２に固定された状態で、結束部材２０の係合部２６を、キャップ部材６０の開口部６４へ挿入する。さらに、係合部２６を、キャップ部材６０の底部６６に形成された貫通孔６６Ａへ押し込んで、底部６６を、係合部２６の溝部２６Ｂの溝壁としての段差部２６Ａ、２６Ｃに係合させる。これにより、ネット部材４０の端部４８がキャップ部材６０に収容される。
【００３０】
なお、図１（Ｂ）に示すように、結束部材２０の溝部２６Ｂの溝壁を構成する段差部２６Ａの径方向最大寸法をＷ１、段差部２６Ｃの径方向最大寸法をＷ２、キャップ部材６０の貫通孔６６Ａの径方向最小寸法をＷ３、最大寸法をＷ４としたときに、Ｗ４＞Ｗ２＞Ｗ３とされている。これにより、キャップ部材６０の底部６６及び結束部材２０の係合部２６を弾性変形ながら、係合部２６を貫通孔６６Ａへ押し込んで、底部６６を段差部２６Ｃに係止させることができる。また、Ｗ１＞Ｗ４とされている。これにより、底部６６を段差部２６Ａに係止させることができる。したがって、底部６６が溝部２６Ｂに固定され、キャップ部材６０が結束部材２０に固定される。
【００３１】
また、図１（Ａ）に示すように、キャップ部材６０の開口部６４の内径は、容器部２４の軸方向端部２４Ｂの外形よりも小さくされており、キャップ部材６０が結束部材２０に固定された状態では、開口部６４と容器部２４との間でネット部材４０を挟み込んでいる。
【００３２】
（作用・効果）
次に、本実施形態に係る泡立て具１０の作用・効果について説明する。本実施形態に係る泡立て具１０では、内周面（窪み部２４Ｃ）が平滑に形成されたお椀形状の容器部２４に、液体や粉末の洗顔料を溜めることができる。このため、例えば内周面にざらつきがある場合や、矩形状とされている場合と比較して、容器部２４に溜めた洗顔料を、ネット部材４０で拭い取りやすい。これにより、適量の洗顔料を計量し、また余すことなく使用することができる。
【００３３】
また、軸部２２のずれ止め突起２２Ａと拡径部２２Ｂによって、ネット部材４０がずれにくくなる。また、キャップ部材６０の開口部６４と、結束部材２０における容器部２４の外周部２４Ａとの間でネット部材４０を挟み込んでいる。このため、ネット部材４０が軸部２２から外れにくい。したがって、泡立て具１０の耐久性が高い。また、軸部２２をキャップ部材６０が被覆するので、軸部２２が破損しにくい。
【００３４】
また、ネット部材４０は二重筒とされ、さらにひだ状に折り曲げられているので、窪み部２４Ｃに溜めた洗顔料を泡立てる際に、洗顔料が絡みやすく泡立てやすい。また、結束部材２０の穴部２６Ｄに紐を通しておけば、泡立て具１０を浴室のフックなどに引掛けておくことができるため、水切れがよく乾きやすい。このため、泡立て具１０を清潔に保つことができる。さらに、ネット部材４０は、ポリエチレン製とされているので乾きやすく、かびにくい。
【００３５】
（変形例）
次に、本実施形態に係る泡立て具１０の変形例について説明する。上記実施形態では、ネット部材４０は二重筒とされていたが、本発明の実施形態はこれに限られない。例えば、筒状のメッシュを複数回折り返し、三重以上としてもよい。筒の重ね数を増やすことで、より泡立てやすくすることができる。また、一重とすることもできる。一重にすれば、泡立て具の製造が容易になる。
【００３６】
また、上記実施形態では、容器部２４の窪み部２４Ｃの表面は平滑に形成されていたが、本発明の実施形態はこれに限られない。例えば、洗顔料の量を示す目盛などによる凹凸を形成してもよい。目盛を形成すれば、洗顔料の種類、洗う対象（顔、身体、子供、大人）などにより使用量を使い分けることができる。
【００３７】
また、上記実施形態では、ネット部材４０は結束バンド５０を用いて結束部材２０の軸部２２に結束固定されるものとしたが、本発明の実施形態はこれに限られない。例えば、ネット部材４０の端部４８を束ねて軸部２２に仮固定した後、電熱線や熱ゴテ等を押し当てて融着固定するものとしてもよい。このようにすれば、ネット部材４０が結束部材２０からより外れにくくなる。
【００３８】
また、上記実施形態ではキャップ部材６０の底部６６を、結束部材２０の段差部２６Ａ、２６Ｃに係止させることによりキャップ部材６０を結束部材２０に固定するものとしたが、本発明の実施形態はこれに限られない。例えばキャップ部材６０の底部６６の貫通孔６６Ａに雌ネジを形成し、結束部材２０には段差部２６Ｃに代えて溝部２６Ｂに雄ネジを形成してもよい。これにより、キャップ部材６０は結束部材２０に螺合することで固定できる。この場合、ネット部材４０が何らかの原因により破損した場合に交換することができる。
【００３９】
このように、本発明は上述の実施形態及び各種の変形例を適宜組み合わせて用いても良いし、本発明の要旨を逸脱しない範囲において、種々なる態様で実施し得る。
【符号の説明】
【００４０】
１０    泡立て具
２０    結束部材
２２Ａ  ずれ止め突起（突起）
２４    容器部
２６Ｄ  穴部
４０    ネット部材
４８    端部
６０    キャップ部材
６２    クビレ部
【図１】
0006617014.tif 000002
【図２】
0006617014.tif 000003
【図３】
0006617014.tif 000004